(57)【要約】【課題】壁間に柱材を適切に取り付けることができる柱材支持具を提供する。【解決手段】柱材支持具１１は、柱材の端部に装着される装着部と、装着部が装着された柱材の延出方向の長さを調整する調整部と、壁と当接する当接面を有するベース部３１を含み、調整部と壁との間に配置され、調整部に取り付けられる当接部材２６ａとを備える。当接部材２６ａには、当接部材２６ａを壁にステープル留めが可能な程度に板厚方向に肉厚を減じた薄肉部３８ａ〜３８ｈ、３９ａ〜３９ｈと、薄肉部３８ａ〜３８ｈ、３９ａ〜３９ｈが設けられた領域と異なる領域において、板厚方向に凹み、当接部材２６ａをねじ留めさせるねじ留め用凹部３７ａ〜３７ｄとが設けられている。【選択図】図３
2019047955.tif 000002
【特許請求の範囲】
【請求項１】
柱材を壁間に支持する際に用いられ、前記柱材の端部に取り付けられる柱材支持具であって、
前記柱材の端部に装着される装着部と、
前記装着部が装着された前記柱材の延出方向の長さを調整する調整部と、
前記壁と当接する当接面を有するベース部を含み、前記調整部と前記壁との間に配置され、前記調整部に取り付けられる当接部材とを備え、
前記当接部材には、前記当接部材を前記壁にステープル留めが可能な程度に板厚方向に肉厚を減じた薄肉部と、前記薄肉部が設けられた領域と異なる領域において、板厚方向に凹み、前記当接部材を前記壁にねじ留めさせるねじ留め用凹部とが設けられている、柱材支持具。
【請求項２】
前記薄肉部は、矩形状である、請求項１に記載の柱材支持具。
【請求項３】
前記薄肉部は、複数の領域に分かれて設けられている、請求項１または請求項２に記載の柱材支持具。
【請求項４】
前記当接部材は、平面的に見て矩形状であって、
複数の前記薄肉部は、前記当接部材の長手方向に間隔をあけて設けられている、請求項３に記載の柱材支持具。
【請求項５】
前記ねじ留め用凹部は、複数設けられている、請求項１〜請求項４のいずれか１項に記載の柱材支持具。
【請求項６】
前記ねじ留め用凹部は、前記薄肉部の前記長手方向に垂直な方向の所定の位置に設けられている、請求項１〜請求項５のいずれか１項に記載の柱材支持具。
【請求項７】
前記当接部材には、前記ベース部から突出する突出部が設けられており、
前記突出部に前記ねじ留め用凹部が設けられている、請求項１〜請求項６のいずれか１項に記載の柱材支持具。
【請求項８】
前記調整部には、前記当接部材側に突出する柱状の突起部が設けられており、
前記当接部材には、前記突起部と嵌め合って前記調整部を前記当接部材に取り付ける取り付け凹部が設けられている、請求項１〜請求項７のいずれか１項に記載の柱材支持具。
【発明の詳細な説明】
【技術分野】
【０００１】
この発明は、柱材支持具に関するものである。
【背景技術】
【０００２】
壁間に取り付けられる突っ張り棒が従来から知られている。突っ張り棒の落下を防止するために、突っ張り棒と壁面との間に突っ張り棒落下防止部材が配置される場合がある（たとえば、特許文献１参照）。
【０００３】
特許文献１に開示の突っ張り棒落下防止部材は、突っ張り棒と接触する表面と、表面の裏側にある裏面であって、壁面側にある裏面と、突っ張り棒落下部材の下部に２つ設けてある第一下方支持部であって、突っ張り棒を斜め下から支持するための第一下方支持部と、裏面に設けてある接着部材であって、突っ張り棒落下部材が壁面から容易に取り外し可能な程度の接着力を有する接着部材とを有することとしている。
【先行技術文献】
【特許文献】
【０００４】
【特許文献１】特開２０１７−９３６７８号公報
【発明の概要】
【発明が解決しようとする課題】
【０００５】
昨今、ＤＩＹ（Ｄｏ  Ｉｔ  Ｙｏｕｒｓｅｌｆ）等において、例えば、ツーバイフォー材といった柱材を対向する壁間や天井と床との間に取り付ける場合がある。柱材を壁間等に取り付ける場合、壁間において柱材を適切に支持するアジャスターとしての柱材支持具が用いられる。柱材支持具は、柱材の端部に取り付けられる。そして、柱材支持具が取り付けられた柱材は、壁間において柱材にある程度のテンション（張力）を付与されながら壁間の所望の位置に取り付けられる。
【０００６】
ここで、取り付けられた柱材の位置がずれたり、柱材の取り付けが不安定になることを防止するために、柱材支持具を適切に壁側に保持させる必要がある。すなわち、柱材支持具のうちの壁に当接する部分の滑りや位置ずれを生じさせることなく、確実に所望の位置に柱材を取り付けることが求められる。このような状況下において、例えば、特許文献１に開示の突っ張り棒落下防止部材のような部材を適用することはできない。
【０００７】
この発明の目的は、壁間に柱材を適切に取り付けることができる柱材支持具を提供することである。
【課題を解決するための手段】
【０００８】
この発明に係る柱材支持具は、柱材を壁間に支持する際に用いられ、柱材の端部に取り付けられる。柱材支持具は、柱材の端部に装着される装着部と、装着部が装着された柱材の延出方向の長さを調整する調整部と、壁と当接する当接面を有するベース部を含み、調整部と壁との間に配置され、調整部に取り付けられる当接部材とを備える。当接部材には、当接部材を壁にステープル留めが可能な程度に板厚方向に肉厚を減じた薄肉部と、薄肉部が設けられた領域と異なる領域において、板厚方向に凹み、当接部材を壁にねじ留めさせるねじ留め用凹部とが設けられている。
【０００９】
このような構成の柱材支持具によれば、薄肉部を利用してステープルにより予め壁に当接部材を固定するか、またはねじ留め用凹部を利用してねじにより予め壁に当接部材を固定することができる。そうすると、当接部材を所望の位置に確実に固定することができると共に、当接部材の位置ずれや滑りを防止することができる。この場合、求められる荷重や壁の材質等、状況に応じて、薄肉部による固定かねじ留め用凹部による固定かを選択することができるため、より適切な当接部材の壁への固定を行うことができる。そして、装着部に柱材を装着し、調整部により柱材の延出方向の長さを調整して適度のテンションを柱材に付与し、当接部材を調整部に取り付けて、柱材を壁間に取り付けることができる。したがって、このような柱材支持具によると、壁間に柱材を適切に取り付けることができる。
【００１０】
上記薄肉部は、矩形状であってもよい。こうすることにより、ステープルで当接部材を壁に留める際に、ステープルの向きをガイドすることができる。したがって、より適切に当接部材を壁に留めることができる。
【００１１】
上記薄肉部は、複数の領域に分かれて設けられていてもよい。こうすることにより、複数のステープルで当接部材を壁に留める際に、ステープルの位置を複数の領域に分散させることができ、より確実に当接部材を壁に留めることができる。
【００１２】
上記当接部材は、平面的に見て矩形状であって、複数の上記薄肉部は、当接部材の長手方向に間隔をあけて設けられていてもよい。こうすることにより、当接部材をステープルで壁に留める際に、当接部材側からステープルが受ける荷重を分散させて、より適切に壁に留めることができる。
【００１３】
上記ねじ留め用凹部は、複数設けられていてもよい。こうすることにより、当接部材をねじで壁に留める際に、複数設けられたねじ留め用凹部を利用して、より強固に当接部材を壁に留めることができる。
【００１４】
上記ねじ留め用凹部は、薄肉部の長手方向に垂直な方向の所定の位置に設けられていてもよい。こうすることにより、ステープルで留める場合の位置を避けて、ねじ留めを行うことができる。
【００１５】
上記当接部材には、ベース部から突出する突出部が設けられており、突出部にねじ留め用凹部が設けられていてもよい。こうすることにより、ねじ留め用凹部を構成する壁部の剛性を高くすることができ、当接部材を壁に留める際に、より安定して留めることができる。
【００１６】
上記調整部には、当接部材側に突出する柱状の突起部が設けられており、当接部材には、突起部と嵌め合って調整部を当接部材に取り付ける取り付け凹部が設けられていてもよい。こうすることにより、突起部と取り付け凹部とを嵌め合わせて、当接部材を調整部により適切に取り付けることができる。
【発明の効果】
【００１７】
このような柱材支持具によると、壁間に柱材を適切に取り付けることができる。
【図面の簡単な説明】
【００１８】
【図１】この発明の一実施形態に係る柱材支持具を分解して示す分解斜視図である。
【図２】図１に示す柱材支持具を柱材に取り付けた状態を示す斜視図である。
【図３】図１に示す柱材支持具に備えられる第一のパッド部を矢印Ｚの向きから見た図である。
【図４】図１に示す柱材支持具に備えられる第一のパッド部を矢印Ｚと逆の向きから見た図である。
【図５】この発明の他の実施形態に係る柱材支持具を分解して示す分解斜視図である。
【図６】図５に示す柱材支持具に備えられる第一のパッド部を矢印Ｚの向きから見た図である。
【図７】図５に示す柱材支持具に備えられる第一のパッド部を矢印Ｚと逆の向きから見た図である。
【図８】この発明のさらに他の実施形態に係る柱材支持具を分解して示す分解斜視図である。
【図９】図８に示す柱材支持具に備えられる第一のパッド部を矢印Ｚの向きから見た図である。
【図１０】図８に示す柱材支持具に備えられる第一のパッド部を矢印Ｚの向きから見た図である。
【図１１】この発明のさらに他の実施形態に係る柱材支持具の一部を示す斜視図である。
【図１２】この発明のさらに他の実施形態に係る柱材支持具に備えられる第一のパッド部を矢印Ｚの向きから拡大して見た図である。
【発明を実施するための形態】
【００１９】
次に、この発明の一実施形態に係る柱材支持具の構成について説明する。以下の図面において同一または相当する部分には同一の参照番号を付しその説明は繰返さない。図１は、この発明の一実施形態に係る柱材支持具を分解して示す分解斜視図である。図２は、図１に示す柱材支持具を柱材に取り付けた状態を示す斜視図である。なお、図１および図２において、柱材の延びる延出方向をＺ軸方向とする。また、図２において、柱材自体の延出方向の一部を省略して図示している。
【００２０】
図１および図２を参照して、この発明の一実施形態に係る柱材支持具１１は、それぞれ対向する壁面を有する壁間、例えば、天井を構成する天壁と床を構成する床壁との間に柱材１２を取り付ける際に用いられる。柱材１２としては、例えば、四角柱状のツーバイフォー材が用いられる。柱材１２は、断面矩形状である。すなわち、柱材１２を柱材１２の延出方向に垂直な面（Ｘ−Ｙ平面）で切断した場合の柱材１２の断面は、矩形状である。具体的な柱材１２の断面における長さ寸法としては、図２中の矢印Ｙの向きまたはその逆の向きで示すＹ軸方向の長さが約３８ｍｍ（ミリメートル）、図２中の矢印Ｘの向きまたはその逆の向きで示す、Ｙ軸方向に垂直なＸ軸方向の長さが約８９ｍｍである。
【００２１】
柱材支持具１１は、一方の壁、この場合は天壁に当接する第一の当接部材としての第一のパッド部２６ａと、他方の壁、この場合は床壁に当接する第二の当接部材としての第二のパッド部２６ｂと、柱材１２の一方側の端部が嵌め込まれて柱材１２が装着される装着部としての第一の嵌め込み部材１３と、柱材１２の他方側の端部が嵌め込まれて柱材１２が装着され、第二のパッド部２６ｂに取り付けられる装着部としての第二の嵌め込み部材１４と、一方端部が第一の嵌め込み部材１３に設けられており、Ｚ軸方向に延びる棒状のシャフト１６と、シャフト１６の外径側に設けられる付勢部材としてのバネ１７と、シャフト１６の長さを調整するジャッキ１８と、シャフト１６の他方端部に設けられ、第一のパッド部３１ａに取り付けられる受け部材１９とを備える。シャフト１６、バネ１７、ジャッキ１８、および受け部材１９は、第一の嵌め込み部材１３および第二の嵌め込み部材１４が装着された柱材１２の取り付け時における柱材１２の延出方向の長さを調整する調整部１５として機能する。すなわち、第一のパッド部２６ａおよび第二のパッド部２６ｂは、調整部１５と壁との間に配置される。
【００２２】
第一の嵌め込み部材１３は、いわゆる中空の箱状であって、箱を構成する一つの面が開口した形状である。この開口部２１側から柱材１２の一方側の端部が嵌め込まれる。すなわち、第一の嵌め込み部材１３において、開口部２１のＹ軸方向の長さは、３８ｍｍよりもやや長く、開口部２１のＸ軸方向の長さは、８９ｍｍよりもやや長い構成である。第一の嵌め込み部材１３のうち、開口部２１とＺ軸方向の反対側の面２２側には、シャフト１６が設けられている。シャフト１６の外径面には、図示しないねじ山が切られている。シャフト１６は、バネ１７の内方側に設けられている。バネ１７の上方側の端部には、ジャッキ１８が配置されている。ジャッキ１８は、シャフト１６の外径面に設けられたネジ山に沿って回転可能に設けられている。ジャッキ１８を回転させることにより、受け部材１９と第一の嵌め込み部材１３とのＺ軸方向の間隔を変えることができる。そして、ジャッキ１８を回転させて受け部材１９と第一の嵌め込み部材１３との間隔を調整して、柱材１２の取り付け時において、柱材１２に付与するテンション（張力）を適当なものとすることができる。また、バネ１７により、ジャッキ１８の緩みを抑制することができる。
【００２３】
シャフト１６の他方側の端部には、受け部材１９が設けられている。受け部材１９は、平面的に見て矩形状に設けられている。Ｚ軸方向から見た受け部材１９の外形形状は、上記した柱材１２の断面の外形形状と同等である。受け部材１９は、樹脂製であって、所定の厚みを有する。受け部材１９には、その厚みの範囲内で上方側（矢印Ｚで示す向き）に突出する複数の突起部２３ａ、２３ｂ、２３ｃ、２３ｄ、２３ｄ、２３ｅ、２３ｆ、２３ｇ、２３ｈが設けられている。具体的には、受け部材１９には、シャフト１６が設けられていない面側に複数の仕切りが設けられており、仕切りによって仕切られた複数の領域内において、突起部２３ａ〜２３ｈは合計８つ設けられている。突起部２３ａ〜２３ｈの突出長さはそれぞれ同じに設けられている。突起部２３ａ〜２３ｈは、円柱状である。突起部２３ａ〜２３ｈは、第一のパッド部２６ａとの取り付けの際に利用される。
【００２４】
次に、第二の嵌め込み部材１４の構成について説明する。第二の嵌め込み部材１４は、柱材１２の他方側の端部が嵌め込まれる形状である。第二の嵌め込み部材１４は、上記した第一の嵌め込み部材１３と同様に、中空の箱状であって、箱を構成する一つの面が開口した形状である。第二の嵌め込み部材１４の内側には、内壁面から内方側に突出してＺ軸方向に延びる嵌め込み突出部２７が設けられている。嵌め込み突出部２７は、Ｘ軸方向に間隔をあけて複数設けられている。この開口部２４側から柱材１２の他方側の端部が嵌め込まれる。開口部２４のＸ−Ｙ平面における長さ寸法は、上記した第一の嵌め込み部材１３の長さ寸法と同等である。第二の嵌め込み部材１４に柱材１２を嵌め込んだ際に、嵌め込み突出部２７は、柱材１２に一部食い込むようにして第二の嵌め込み部材１４からの柱材１２の抜け落ちを防止する。なお、第一の嵌め込み部材１３にも、同様の構成の嵌め込み突出部が設けられている。
【００２５】
第二の嵌め込み部材１４の開口部２４が設けられた側と逆の面２５には、上記した突起部２３ａ〜２３ｈと同様の複数の突起部が設けられている。柱材１２の壁間への取り付けに際し、第二の嵌め込み部材１４は、複数の突起部を利用して、第二のパッド部２６ｂに取り付けられる。
【００２６】
ここで、第一のパッド部２６ａの構成について説明する。図３は、図１に示す柱材支持具１１に備えられる第一のパッド部２６ａを矢印Ｚの向きから見た図である。図４は、図１に示す柱材支持具１１に備えられる第一のパッド部２６ａを矢印Ｚと逆の向きから見た図である。図４は、壁と当接する当接面側から見た図に相当する。なお、第二のパッド部２６ｂの構成は、第一のパッド部２６ａの構成と同じであるため、その説明を省略する。図１において、第二のパッド部２６ｂは、第一のパッド部２６ａを裏返した状態、すなわち、Ｚ軸方向の向きを反転させた状態で図示されている。また、第一のパッド部２６ａの構成の説明時において適宜第二のパッド部２６ｂを参照するものとする。
【００２７】
図３および図４を併せて参照して、第一のパッド部２６ａは、平面的に見て矩形状である。この場合、Ｘ軸方向を長手方向としたいわゆる横長となるように構成されている。第一のパッド部２６ａは、平板状のベース部３１を含む。ベース部３１の厚みとしては、例えば、２ｍｍが選択される。ベース部３１の一方側の面３２ａが、柱材１２を壁間に取り付ける際の壁面と当接する当接面となる。すなわち、第一のパッド部２６ａに含まれるベース部３１は、壁と当接する当接面を有する。当接面は、壁の壁面に対して滑りにくい材質で構成されている。第一のパッド部２６ａは、樹脂製である。
【００２８】
第一のパッド部２６ａは、ベース部３１の他方側の面３２ｂ、すなわち、当接面とは逆の面から板厚方向であるＺ軸方向に突出する複数の突出部３３ａ、３３ｂ、３３ｃ、３３ｄ、３３ｅ、３３ｆ、３３ｇ、３３ｈ、３４ａ、３４ｂ、３４ｃ、３４ｄを含む。突出部３３ａ〜３３ｈ、３４ａ〜３４ｄは、それぞれ円柱状であって、合計１２個設けられている。突出部３３ａ〜３３ｈのそれぞれの径は同じである。突出部３４ａ〜３４ｄのそれぞれの径も同じである。突出部３３ａ〜３３ｈの径は、突出部３４ａ〜３４ｄの径よりもやや小さく構成されている。突出部３３ａ〜３３ｈ、３４ａ〜３４ｄの配置としては、具体的に、突出部３３ａ〜３３ｄ、３４ａ、３４ｂは、ベース部３１の一方の長辺３５ａ側において、突出部３３ａ、３４ａ、３３ｂ、３３ｃ、３４ｂ、３３ｄの順に、Ｘ軸方向に沿ってそれぞれ間隔をあけて一列に並ぶように配置されている。また、突出部３３ｅ〜３３ｈ、３４ｃ、３４ｄは、ベース部３１の他方の長辺３５ｂ側において、突出部３３ｅ、３４ｃ、３３ｆ、３３ｇ、３４ｄ、３３ｈの順に、Ｘ軸方向に沿ってそれぞれ間隔をあけて一列に並ぶように配置されている。突出部３３ａ〜３３ｄ、３４ａ、３４ｂと突出部３３ｅ〜３３ｈ、３４ｃ、３４ｄともＹ軸方向に間隔をあけて設けられている。突出部３３ａ〜３３ｈの面３２ｂからのＺ軸方向の突出長さは、それぞれ同じである。突出部３４ａ〜３４ｄの面３２ｂからのＺ軸方向の突出長さも、それぞれ同じである。突出部３３ａ〜３３ｈの面３２ｂからのＺ軸方向の突出長さは、突出部３４ａ〜３４ｄの面３２ｂからのＺ軸方向の突出長さよりもやや長く構成されている（図１の第二のパッド部２６ｂ参照）。
【００２９】
第一のパッド部２６ａには、上記した突起部２３ａ〜２３ｈにそれぞれ嵌合する複数の取り付け凹部３６ａ、３６ｂ、３６ｃ、３６ｄ、３６ｅ、３６ｆ、３６ｇ、３６ｈが設けられている。取り付け凹部３６ａ〜３６ｈはそれぞれ、突出部３３ａ〜３３ｈの先端から丸穴状に凹むように設けられている。突出部３３ａ〜３３ｈの先端からの取り付け凹部３６ａ〜３６ｈの凹みの深さは、突起部２３ａ〜２３ｈの突出長さよりもやや長く構成されている。取り付け凹部３６ａ〜３６ｈの径は、突起部２３ａ〜２３ｈの径と同等か突起部２３ａ〜２３ｈと嵌め合わせ可能な程度にやや小さく構成されている。８つの取り付け凹部３６ａ〜３６ｈは、８つの突起部２３ａ〜２３ｈと対応する位置にそれぞれ設けられている。取り付け凹部３６ａ〜３６ｈに突起部２３ａ〜２３ｈをそれぞれ嵌め合わせるようにして、受け部材１９は、第一のパッド部２６ａに取り付けられる。第二の嵌め込み部材１４についても同様に、第二の嵌め込み部材１４の面２５側に設けられた複数の突起部を、第二のパッド部２６ｂに設けられた複数の取り付け凹部に嵌め合わせるようにして、第二の嵌め込み部材１４は第二のパッド部２６ｂに取り付けられる。
【００３０】
第一のパッド部２６ａには、第一のパッド部２６ａを壁にねじ留めさせる複数のねじ留め用凹部３７ａ、３７ｂ、３７ｃ、３７ｄが設けられている。ねじ留め用凹部３７ａ〜３７ｄはそれぞれ、突出部３４ａ〜３４ｄの先端から、第一のパッド部２６ａを板厚方向に貫通するように設けられている。４つのねじ留め用凹部３７ａ〜３７ｄの開口は、当接面である面３２ａにも表れる（特に図４参照）。このねじ留め用凹部３７ａ〜３７ｄを利用して、第一のパッド部２６ａを、ねじにより壁に固定することができる。
【００３１】
第一のパッド部２６ａには、ベース部３１の一部を薄肉にした薄肉部３８ａ、３８ｂ、３８ｃ、３８ｄ、３８ｅ、３８ｆ、３８ｇ、３８ｈ、３９ａ、３９ｂ、３９ｃ、３９ｄ、３９ｅ、３９ｆ、３９ｇ、３９ｈが設けられている。薄肉部３８ａ〜３８ｈ、３９ａ〜３９ｈは、第一のパッド部２６ａを壁にステープル留めが可能な程度に板厚方向にベース部３１の肉厚を減じて構成されている。薄肉部３８ａ〜３８ｈ、３９ａ〜３９ｈはそれぞれ、矩形状である。具体的には、薄肉部３８ａ〜３８ｈ、３９ａ〜３９ｈはそれぞれ、Ｙ軸方向が矩形状の長手方向となるように設けられている。薄肉部３８ａ〜３８ｈ、３９ａ〜３９ｈは、複数の領域に分かれて設けられている。具体的には、薄肉部３８ａ〜３８ｈ、３９ａ〜３９ｈは合計１６個設けられている。８個の薄肉部３８ａ〜３８ｈは、図３に示す場合において、突出部３３ａ、３４ａ、３３ｂと、突出部３３ｅ、３４ｃ、３３ｆとのＹ軸方向の間にＸ軸方向に並んで設けられている。８個の薄肉部３９ａ〜３９ｈは、図３に示す場合において、突出部３３ｃ、３４ｂ、３３ｄと、突出部３３ｇ、３４ｄ、３３ｈとのＹ軸方向の間にＸ軸方向に並んで設けられている。薄肉部３８ａ〜３８ｈ、３９ａ〜３９ｈのそれぞれのＸ軸方向の間には、薄肉部３８ａ〜３８ｈ、３９ａ〜３９ｈよりも肉厚の厚い仕切り壁が設けられている。図３中の長さＬ３で示す薄肉部３８ａ〜３８ｈ、３９ａ〜３９ｈの長手方向の長さは、ステープルの長手方向の長さよりも長く構成されている。薄肉部３８ａ〜３８ｈ、３９ａ〜３９ｈの肉厚については、例えば、０．５〜１ｍｍの間の任意の値が選択され、具体的には、１ｍｍが選択される。なお、ステープルとしては、例えば、１０号サイズのものが適用される。
【００３２】
次に、このような構成の柱材支持具１１を用いて柱材１２を壁間に取り付ける際の取り付け方法について説明する。まず、第一のパッド部２６ａおよび第二のパッド部２６ｂを準備して、壁に第一のパッド部２６ａおよび第二のパッド部２６ｂを取り付ける。この場合、それぞれの取り付け位置が対向するように取り付ける。また、第一のパッド部２６ａおよび第二のパッド部２６ｂの向きについても、図１に示す通りとする。
【００３３】
ここで、取り付けに際しては、二通りの取り付け方がある。まず、ねじ留め用凹部３７ａ〜３７ｄを利用して第一のパッド部２６ａを取り付ける場合について説明する。ねじ留め用凹部３７ａ〜３７ｄを用いて取り付ける場合としては、より強固に柱材１２を壁間に取り付けたい場合がある。また、壁がねじ留めに適した硬い材質の場合にも、ねじ留め用凹部３７ａ〜３７ｄを用いて取り付けられる。
【００３４】
ねじ留め用凹部３７ａ〜３７ｄを利用して第一のパッド部２６ａを壁に取り付ける場合、所定のねじを４つ準備する。そして、当接面である面３２ａを壁の壁面のうちの所望の位置に当接させる。その後、準備したねじを用いて、ねじの胴部の先端をねじ留め用凹部３７ａ〜３７ｄに入れ、ドライバー等によって第一のパッド部２６ａを壁にねじ留めする。このようにして、ねじ留め用凹部３７ａ〜３７ｄを利用して、第一のパッド部２６ａを壁に取り付け、固定する。第二のパッド部２６ｂについても同様である。なお、必ずしも全てのねじ留め用凹部３７ａ〜３７ｄを利用してねじ留めすることはなく、必要に応じて、一部のねじ留め用凹部３７ａ〜３７ｄを利用してねじ留めを行うこととしてもよい。
【００３５】
次に、薄肉部３８ａ〜３８ｈ、３９ａ〜３９ｈを利用して第一のパッド部２６ａを取り付ける場合について説明する。薄肉部３８ａ〜３８ｈ、３９ａ〜３９ｈを用いて取り付ける場合としては、取り付けた柱材１２を取り外した際に取り付け跡が壁面に残ってほしくない場合や、壁の材質が石膏ボードやベニヤ板である等、ねじ留めすると壁が損傷を受ける可能性がある場合である。
【００３６】
薄肉部３８ａ〜３８ｈ、３９ａ〜３９ｈを利用して第一のパッド部２６ａを壁に取り付ける場合、ステープルを充填したステープラーを準備する。そして、当接面である面３２ａを壁の壁面のうちの所望の位置に当接させる。その後、ステープラーを開いた状態として、薄肉部３８ａ〜３８ｈ、３９ａ〜３９ｈに対して、ステープルを順次打ち込む。このようにして、薄肉部３８ａ〜３８ｈ、３９ａ〜３９ｈを利用して、第一のパッド部２６ａを壁に取り付け、固定する。第二のパッド部２６ｂについても同様である。なお、必ずしも全ての薄肉部３８ａ〜３８ｈ、３９ａ〜３９ｈにステープルを打ち込むことはなく、必要に応じて、例えば、薄肉部３８ａ〜３８ｈ、３９ａ〜３９ｈの一つ置きにステープル留めを行うようにしてもよい。
【００３７】
その後、第一の嵌め込み部材１３および第二の嵌め込み部材１４をその両端に嵌め込んだ柱材１２を、第一のパッド部２６ａおよび第二のパッド部２６ｂに取り付ける。すなわち、受け部材１９と第一のパッド部２６ａ、第二の嵌め込み部材１４と第二のパッド部２６ｂとを取り付ける。そして、ジャッキ１８を回転させて、柱材１２にある程度のテンションを付与して柱材１２を壁間に取り付ける。
【００３８】
このような構造の柱材支持具１１によれば、薄肉部３８ａ〜３８ｈ、３９ａ〜３９ｈを利用してステープルにより予め壁に第一のパッド部２６ａおよび第二のパッド部２６ｂを固定するか、またはねじ留め用凹部３７ａ〜３７ｄを利用してねじにより予め壁に第一のパッド部２６ａおよび第二のパッド部２６ｂを固定することができる。そうすると、第一のパッド部２６ａおよび第二のパッド部２６ｂを所望の位置に確実に固定することができると共に、第一のパッド部２６ａおよび第二のパッド部２６ｂの位置ずれや滑りを防止することができる。この場合、求められる荷重や壁の材質等、状況に応じて、薄肉部３８ａ〜３８ｈ、３９ａ〜３９ｈによる固定か、ねじ留め用凹部３７ａ〜３７ｄによる固定かを選択することができるため、より適切な第一のパッド部２６ａおよび第二のパッド部２６ｂの壁への固定を行うことができる。そして、第一の嵌め込み部材１３および第二の嵌め込み部材１４に柱材１２を装着し、調整部１５により柱材１２の延出方向の長さを調整して適度のテンションを付与し、第一のパッド部２６ａを調整部１５、具体的には、調整部１５に含まれる受け部材１９に取り付けて、柱材１２を壁間に取り付けることができる。したがって、このような柱材支持具１１によると、壁間に柱材１２を適切に取り付けることができる。
【００３９】
この場合、薄肉部３８ａ〜３８ｈ、３９ａ〜３９ｈは、矩形状であるため、ステープルで第一のパッド部２６ａを壁に留める際に、ステープルの向きをガイドすることができる。すなわち、矩形状の薄肉部３８ａ〜３８ｈ、３９ａ〜３９ｈの長手方向に沿ってステープルの長手方向を合わせて打つことができる。したがって、より適切に第一のパッド部２６ａを壁に留めることができる。
【００４０】
また、この場合、薄肉部３８ａ〜３８ｈ、３９ａ〜３９ｈは、複数の領域に分かれて設けられているため、複数のステープルで第一のパッド部２６ａを壁に留める際に、ステープルの位置を複数の領域に分散させることができ、より確実に第一のパッド部２６ａを壁に留めることができる。
【００４１】
また、第一のパッド部２６ａは、平面的に見て矩形状であって、複数の薄肉部３８ａ〜３８ｈ、３９ａ〜３９ｈは、第一のパッド部２６ａの長手方向に間隔をあけて設けられているため、第一のパッド部２６ａをステープルで壁に留める際に、第一のパッド部２６ａ側からステープルが受ける荷重を分散させて、より適切に壁に留めることができる。
【００４２】
また、ねじ留め用凹部３７ａ〜３７ｄは、複数設けられているため、第一のパッド部２６ａをねじで壁に留める際に、より強固に第一のパッド部２６ａを壁に留めることができる。
【００４３】
また、ねじ留め用凹部３７ａ〜３７ｄは、薄肉部３８ａ〜３８ｈ、３９ａ〜３９ｈの長手方向に垂直な方向の所定の位置に設けられている。具体的には、ねじ留め用凹部３７ａ、３７ｃは、薄肉部３８ａ〜３８ｈのＹ軸方向のそれぞれの辺３５ａ、３５ｂ側の所定の位置に設けられている。また、ねじ留め用凹部３７ｂ、３７ｄは、薄肉部３９ａ〜３９ｈのＹ軸方向のそれぞれの辺３５ａ、３５ｂ側の所定の位置に設けられている。こうすることにより、ステープルで留める場合の位置を避けて、ねじ留めを行うことができる。
【００４４】
また、突出部３４ａ〜３４ｄにねじ留め用凹部３７ａ〜３７ｄが設けられている構成であるため、ねじ留め用凹部３７ａ〜３７ｄを構成する壁部の剛性を高くすることができ、第一のパッド部２６ａを壁に留める際に、より安定して留めることができる。
【００４５】
また、調整部１５、具体的には、調整部１５に含まれる受け部材１９には、第一のパッド部２６ａ側に突出する柱状の突起部２３ａ〜２３ｈが設けられており、第一のパッド部２６ａには、突起部２３ａ〜２３ｈと嵌め合って調整部１５を第一のパッド部２６ａに取り付ける取り付け凹部３６ａ〜３６ｈが設けられているため、突起部２３ａ〜２３ｈと取り付け凹部３６ａ〜３６ｈとを嵌め合わせて、第一のパッド部２６ａを受け部材１９により適切に取り付けることができる。
【００４６】
なお、以下のような構成とすることもできる。図５は、この発明の他の実施形態に係る柱材支持具を分解して示す分解斜視図である。図６は、図５に示す柱材支持具に備えられる第一のパッド部を矢印Ｚの向きから見た図である。図７は、図５に示す柱材支持具に備えられる第一のパッド部を矢印Ｚと逆の向きから見た図である。図５は、図１に対応し、図６は、図３に対応し、図７は、図４に対応する。
【００４７】
図５〜図７を参照して、この発明の他の実施形態に係る柱材支持具４１は、Ｚ軸方向に垂直な面で切断した場合に断面正方形状となる柱材を支持する。すなわち、上記した図１等に示す柱材１２に対して、Ｘ軸方向の長さとＹ軸方向の長さが同じ柱材を支持する。柱材支持具４１は、第一のパッド部５６ａと、第二のパッド部５６ｂと、第一の嵌め込み部材４３と、第二の嵌め込み部材４４と、調整部４５とを備える。調整部４５は、シャフト４６と、バネ４７と、ジャッキ４８と、受け部材４９とを含む。シャフト４６、バネ４７、ジャッキ４８については、上記した図１等に示すシャフト１６、バネ１７、ジャッキ１８と同様の構成であるため、それらの説明を省略する。Ｚ軸方向から見た受け部材４９の外形形状は、断面正方形状の柱材の断面の外形形状と同等である。受け部材４９のその他の構成は、上記した図１等に示す受け部材１９と同様の構成であるため、それらの説明を省略する。第一の嵌め込み部材４３および第二の嵌め込み部材４４については、断面正方形状の柱材の両端部をそれぞれ嵌め込み可能な構成である。その他の構成については、上記した図１等に示す第一の嵌め込み部材１３および第二の嵌め込み部材１４と同様であるため、それらの説明を省略する。
【００４８】
第一のパッド部５６ａは、平面的に見て矩形状であり、この場合、Ｘ軸方向とＹ軸方向の長さが同じである。第一のパッド部５６ａは、平板状のベース部６１を含む。ベース部６１の厚みとしては、例えば、上記した図１等に示すベース部３１の厚みと同等である。ベース部６１の一方側の面６２ａが、柱材を壁間に取り付ける際の壁面と当接する当接面となる。すなわち、ベース部６１は、壁と当接する当接面を有する。当接面は、壁の壁面に対して滑りにくい材質で構成されている。第一のパッド部５６ａは、樹脂製である。
【００４９】
第一のパッド部５６ａは、ベース部６１の他方側の面６２ｂ、すなわち、当接面とは逆の面から板厚方向であるＺ軸方向に突出する６つの円柱状の突出部６３ａ、６３ｂ、６３ｃ、６３ｄ、６４ａ、６４ｂを含む。具体的には、突出部６３ａ、６４ａ、６３ｄは、ベース部６１の一方の辺６５ａ側において、突出部６３ａ、６４ａ、６３ｂの順に、Ｘ軸方向に沿ってそれぞれ間隔をあけて一列に並ぶように配置されている。また、突出部６３ｃ、６４ｂ、６３ｄは、ベース部６１の他方の辺６５ｂ側において、突出部６３ｃ、６４ｂ、６３ｄの順に、Ｘ軸方向に沿ってそれぞれ間隔をあけて一列に並ぶように配置されている。突出部６３ａ、６４ａ、６３ｂと突出部６３ｃ、６４ｂ、６３ｄともＹ軸方向に間隔をあけて設けられている。突出部６３ａ〜６３ｄのその他の構成はそれぞれ、上記した図３等に示す突出部３３ａ等と同様であるため、その説明は省略する。また、突出部６４ａ、６４ｂのその他の構成はそれぞれ、上記した図３等に示す突出部３４ａ等と同様であるため、その説明は省略する。
【００５０】
第一のパッド部５６ａには、受け部材４９に設けられた突起部５３ａ、５３ｂ、５３ｃ、５３ｄにそれぞれ嵌合する４つの取り付け凹部６６ａ、６６ｂ、６６ｃ、６６ｄが設けられている。取り付け凹部６６ａ〜６６ｄはそれぞれ、突出部６３ａ〜６３ｄの先端から凹むように設けられている。４つの取り付け凹部６６ａ〜６６ｄは、４つの突起部６３ａ〜６３ｄと対応する位置にそれぞれ設けられている。取り付け凹部６６ａ〜６６ｄのその他の構成はそれぞれ、上記した図３等に示す取り付け凹部３６ａ等と同様であるため、その説明は省略する。取り付け凹部６６ａ〜６６ｄに突起部６３ａ〜６３ｄをそれぞれ嵌め合わせるようにして、受け部材４９は、第一のパッド部５６ａに取り付けられる。第二の嵌め込み部材４４についても同様に、第二の嵌め込み部材４４に設けられた複数の突起部を、第二のパッド部５６ｂに設けられた複数の取り付け凹部に嵌め合わせるようにして、第二の嵌め込み部材４４は第二のパッド部５６ｂに取り付けられる。
【００５１】
第一のパッド部５６ａには、第一のパッド部５６ａを壁にねじ留めさせる２つのねじ留め用凹部６７ａ、６７ｂが設けられている。ねじ留め用凹部６７ａ、６７ｂはそれぞれ、突出部６４ａ、６４ｂの先端から、第一のパッド部５６ａを板厚方向に貫通するように設けられている。ねじ留め用凹部６７ａ、６７ｂのその他の構成はそれぞれ、上記した図３等に示すねじ留め用凹部３７ａ等と同様であるため、その説明は省略する。このねじ留め用凹部６７ａ、６７ｂを利用して、第一のパッド部５６ａを、ねじにより壁に固定することができる。
【００５２】
第一のパッド部５６ａには、ベース部６１の一部を薄肉にした薄肉部６８ａ、６８ｂ、６８ｄ、６８ｅ、６８ｆ、６８ｇ、６８ｈが設けられている。薄肉部６８ａ〜６８ｈは、第一のパッド部５６ａを壁にステープル留めが可能な程度に板厚方向にベース部６１の肉厚を減じて構成されている。具体的には、薄肉部６８ａ〜６８ｈはそれぞれ、Ｙ軸方向が矩形状の長手方向となるように矩形状に設けられている。薄肉部６８ａ〜６８ｈは、８個の領域に分かれて設けられている。薄肉部６８ａ〜６８ｈは、図６に示す状態において、突出部６３ａ、６４ａ、６３ｂと、突出部６３ｃ、６４ｂ、６３ｄとのＹ軸方向の間にＸ軸方向に並んで設けられている。薄肉部６８ａ〜６８ｈのその他の構成はそれぞれ、上記した図３等に示す薄肉部３８ａ等と同様であるため、その説明は省略する。
【００５３】
ねじ留め用凹部６７ａ、６７ｄを利用して第一のパッド部５６ａを壁に取り付ける場合、所定のねじを２つ準備する。そして、当接面である面６２ａを壁の壁面のうちの所望の位置に当接させる。その後、準備したねじを用いて、ねじの胴部の先端をねじ留め用凹部６７ａ、６７ｄに入れ、ドライバー等によって第一のパッド部５６ａを壁にねじ留めする。第二のパッド部５６ｂについても同様である。
【００５４】
薄肉部６８ａ〜６８ｈを利用して第一のパッド部５６ａを壁に取り付ける場合、ステープルを充填したステープラーを準備する。そして、当接面である面６２ａを壁の壁面のうちの所望の位置に当接させる。その後、ステープラーを開いた状態で、薄肉部６８ａ〜６８ｈに対して、ステープルを順次打ち込む。このようにして、薄肉部６８ａ〜６８ｈを利用して、第一のパッド部５６ａを壁に取り付ける。第二のパッド部５６ｂについても同様である。
【００５５】
その後、第一の嵌め込み部材４３および第二の嵌め込み部材４４をその両端に嵌め込んだ柱材を、第一のパッド部５６ａおよび第二のパッド部５６ｂに取り付ける。そして、ジャッキ４８を回転させて、柱材にある程度のテンションを付与して柱材を壁間に取り付ける。
【００５６】
このような構成の柱材支持具４１によっても、壁間に断面正方形状の柱材を適切に取り付けることができる。
【００５７】
また、以下のような構成とすることもできる。図８は、この発明のさらに他の実施形態に係る柱材支持具を分解して示す分解斜視図である。図９は、図８に示す柱材支持具に備えられる第一のパッド部を矢印Ｚの向きから見た図である。図１０は、図８に示す柱材支持具に備えられる第一のパッド部を矢印Ｚの向きから見た図である。図８は、図１および図５に対応し、図９は、図３および図６に対応し、図１０は、図４および図７に対応する。
【００５８】
図８〜図１０を参照して、この発明のさらに他の実施形態に係る柱材支持具７１は、Ｚ軸方向に垂直な面で切断した場合に断面円形状となる柱材を支持する。すなわち、柱材支持具７１は、丸棒状の柱材を支持する。柱材支持具７１は、第一のパッド部８６ａと、第二のパッド部８６ｂと、第一の嵌め込み部材７３と、第二の嵌め込み部材７４と、調整部７５とを備える。調整部７５は、シャフト７６と、バネ７７と、ジャッキ７８と、受け部材７９とを含む。シャフト７６、バネ７７、ジャッキ７８については、上記した図１等に示すシャフト１６、バネ１７、ジャッキ１８と同様の構成であるため、それらの説明を省略する。Ｚ軸方向から見た受け部材７９の外形形状は、断面円形状の柱材の断面の外形形状と同等である。受け部材７９のその他の構成は、上記した図１等に示す受け部材１９と同様の構成であるため、それらの説明を省略する。第一の嵌め込み部材７３および第二の嵌め込み部材７４については、断面円形状の柱材の両端部をそれぞれ嵌め込み可能な構成である。その他の構成については、上記した図１等に示す第一の嵌め込み部材１３および第二の嵌め込み部材１４と同様であるため、それらの説明を省略する。
【００５９】
第一のパッド部８６ａは、平面的に見て丸形状である。第一のパッド部８６ａは、平板状のベース部９１を含む。ベース部９１の厚みとしては、例えば、上記した図１等に示すベース部３１の厚みと同等である。ベース部９１の一方側の面９２ａが、柱材を壁間に取り付ける際の壁面と当接する当接面となる。すなわち、ベース部９１は、壁と当接する当接面を有する。当接面は、壁の壁面に対して滑りにくい材質で構成されている。第一のパッド部８６ａは、樹脂製である。
【００６０】
第一のパッド部８６ａは、ベース部９１の他方側の面９２ｂ、すなわち、当接面とは逆の面から板厚方向であるＺ軸方向に突出する６つの円柱状の突出部９３ａ、９４ａ、９３ｂ、９３ｃ、９４ｂ、９３ｄを含む。具体的には、突出部９３ａ、９４ａ、９３ｂ、９３ｃ、９４ｂ、９３ｄの順に、周方向に間隔をあけて設けられている。突出部９３ａ〜９３ｄのその他の形状は、上記した図３等に示す突出部３３ａ等と同様であるため、その説明を省略する。また、突出部９４ａ、９４ｂのその他の構成はそれぞれ、上記した図３等に示す突出部３４ａ等と同様であるため、その説明は省略する。
【００６１】
第一のパッド部８６ａには、受け部材７９に設けられた突起部８３ａ、８３ｂ、８３ｃ、８３ｄにそれぞれ嵌合する４つの取り付け凹部９６ａ、９６ｂ、９６ｃ、９６ｄが設けられている。取り付け凹部９６ａ〜９６ｄはそれぞれ、突出部９３ａ〜９３ｄの先端から凹むように設けられている。４つの取り付け凹部９６ａ〜９６ｄは、４つの突起部９３ａ〜９３ｄと対応する位置にそれぞれ設けられている。取り付け凹部９６ａ〜９６ｄのその他の構成はそれぞれ、上記した図３等に示す取り付け凹部９６ａ等と同様であるため、その説明は省略する。取り付け凹部９６ａ〜９６ｄに突起部９３ａ〜９３ｄをそれぞれ嵌め合わせるようにして、受け部材７９は、第一のパッド部８６ａに取り付けられる。第二の嵌め込み部材７４についても同様に、第二の嵌め込み部材７４に設けられた複数の突起部を、第二のパッド部８６ｂに設けられた複数の取り付け凹部に嵌め合わせるようにして、第二の嵌め込み部材７４は第二のパッド部８６ｂに取り付けられる。
【００６２】
第一のパッド部８６ａには、第一のパッド部８６ａを壁にねじ留めさせる２つのねじ留め用凹部９７ａ、９７ｂが設けられている。ねじ留め用凹部９７ａ、９７ｂはそれぞれ、突出部９４ａ、９４ｂの先端から、第一のパッド部８６ａを板厚方向に貫通するように設けられている。ねじ留め用凹部９７ａ、９７ｂのその他の構成はそれぞれ、上記した図３等に示すねじ留め用凹部３７ａ等と同様であるため、その説明は省略する。このねじ留め用凹部９７ａ、９７ｂを利用して、第一のパッド部８６ａを、ねじにより壁に固定することができる。
【００６３】
第一のパッド部８６ａには、その一部を薄肉にした薄肉部９８ａ、９８ｂ、９８ｄ、９８ｅ、９８ｆ、９８ｇ、９８ｈが設けられている。薄肉部９８ａ〜９８ｈは、第一のパッド部８６ａを壁にステープル留めが可能な程度に板厚方向にベース部９１の肉厚を減じて構成されている。具体的には、薄肉部９８ａ〜９８ｈはそれぞれ、Ｙ軸方向が矩形状の長手方向となるように矩形状に設けられている。薄肉部９８ａ〜９８ｈは、８個の領域に分かれて設けられている。薄肉部９８ａ〜９８ｈは、図９に示す状態において、突出部９３ａ、９４ａ、９３ｂと、突出部９３ｃ、９４ｂ、９３ｄとのＹ軸方向の間にＸ軸方向に並んで設けられている。薄肉部９８ａ〜９８ｈのその他の構成はそれぞれ、上記した図３等に示す薄肉部３８ａ等と同様であるため、その説明は省略する。
【００６４】
ねじ留め用凹部９７ａ、９７ｄを利用して第一のパッド部８６ａを壁に取り付ける場合、所定のねじを２つ準備する。そして、当接面である面９２ａを壁の壁面のうちの所望の位置に当接させる。その後、準備したねじを用いて、ねじの胴部の先端をねじ留め用凹部９７ａ、９７ｄに入れ、ドライバー等によって第一のパッド部８６ａを壁にねじ留めする。第二のパッド部８６ｂについても同様である。
【００６５】
薄肉部９８ａ〜９８ｈを利用して第一のパッド部８６ａを壁に取り付ける場合、ステープルを充填したステープラーを準備する。そして、当接面である面９２ａを壁の壁面のうちの所望の位置に当接させる。その後、ステープラーを開いた状態で、薄肉部９８ａ〜９８ｈに対して、ステープルを順次打ち込む。このようにして、薄肉部９８ａ〜９８ｈを利用して、第一のパッド部８６ａを壁に取り付ける。第二のパッド部８６ｂについても同様である。
【００６６】
その後、第一の嵌め込み部材７３および第二の嵌め込み部材７４をその両端に嵌め込んだ柱材を、第一のパッド部８６ａおよび第二のパッド部８６ｂに取り付ける。そして、ジャッキ７８を回転させて、柱材にある程度のテンションを付与して柱材を壁間に取り付ける。
【００６７】
このような構成の柱材支持具４１によっても、壁間に断面丸形状の柱材を適切に取り付けることができる。
【００６８】
なお、柱材支持具については、以下のような構成としてもよい。図１１は、この発明のさらに他の実施形態に係る柱材支持具の一部を示す斜視図である。図１１を参照して、この発明のさらに他の実施形態に係る柱材支持具１０１は、第一の嵌め込み部材１０２と、筒状のカバー部１０３と、シャフト１０４と、受け部材１０５とを備える。また、柱材支持具１０１に備えられる第二の嵌め込み部材、第一のパッド部、第二のパッド部等の図示を省略する。柱材支持具１０１は、図８に示す柱材支持具４１に含まれるバネ４７、ジャッキ４８、そしてシャフト４６の一部の外径側を覆うカバー部１０３が備えられる構成である。カバー部１０３の外径は、第一の嵌め込み部材１０２の外径よりもやや大きい。この場合、バネ４７等は一見、外側からは見えない構成となっている。このような構成であってもよい。
【００６９】
また、柱材支持具については、以下のような構成としてもよい。図１２は、この発明のさらに他の実施形態に係る柱材支持具に備えられる第一のパッド部を矢印Ｚの向きから拡大して見た図である。図１２は、図６に相当する。図１２を参照して、この発明のさらに他の実施形態に係る柱材支持具に備えられる第一のパッド部１１１には、ベース部１１２の一部を薄肉にした薄肉部１１３が設けられている。薄肉部１１３は、第一のパッド部１１１を壁にステープル留めが可能な程度に板厚方向にベース部１１２の肉厚を減じて構成されている。薄肉部１１３は、矩形状である。薄肉部１１３は、一つの凹んだ領域であって、薄肉部１１３には、ステープル留めをガイドするための７本のガイド線１１４ａ、１１４ｂ、１１４ｃ、１１４ｄ、１１４ｅ、１１４ｆ、１１４ｇが設けられている。図１２中において、ガイド線１１４ａ〜１１４ｇは、破線で示している。７本のガイド線１１４ａ〜１１４ｇはそれぞれＸ軸方向に等間隔で、Ｙ軸方向に延びるように設けられている。すなわち、薄肉部１１３は、Ｙ軸方向に延びる７本のガイド線１１４ａ〜１１４ｇによって、Ｘ軸方向の８つの領域１１５ａ、１１５ｂ、１１５ｃ、１１５ｄ、１１５ｅ、１１５ｆ、１１５ｇ、１１５ｈに視覚的に分けられている。こうすることにより、ステープルを打ち込む際に、ガイド線１１４ａ〜１１４ｇを目印にして、８つの領域１１５ａ〜１１５ｈに相当する部分にステープルを打ち込むことができる。このような構成としてもよい。
【００７０】
なお、上記の実施の形態において、薄肉部は、矩形状であることとしたが、薄肉部の形状について特に限定されるものではなく、薄肉部は、例えば、平面的に見て正方形状であってもよいし、外縁が円状や楕円状の壁で構成されていることにしてもよい。また、一つの薄肉部が設けられた領域内においてステープル留めが複数可能な構成としてもよい。
【００７１】
また、上記の実施の形態において、第一のパッド部と第二のパッド部とを双方同じ構成としたが、これに限らず、第一のパッド部と第二のパッド部とが異なる構成であってもよい。また、床側に配置される第二のパッド部については、壁への固定を行わず、第一のパッド部について壁への固定を行う使用としてもよい。
【００７２】
なお、上記の実施の形態において、ねじ留め用凹部は、板厚方向に貫通することとしていたが、これに限らず、ねじ留め用凹部は、板厚方向に貫通していない構成としてもよい。例えば、薄肉部よりも薄い肉厚でねじ留め用凹部は塞がれており、ねじ留め時にねじにより貫通される構成としてもよい。また、ねじ留め用凹部は、突出部以外の領域に設けられていてもよい。
【００７３】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００７４】
本願の柱材支持具は、壁間への柱材の適切に取り付けが求められる場合に、特に有利に適用され得る。
【符号の説明】
【００７５】
１１，４１，７１，１１１  柱材支持具、１２  柱材、１３，４３，７３，１０２  第一の嵌め込み部材、１４，４４，７４  第二の嵌め込み部材、１５，４５，７５  調整部、１６，４６，７６，１０４  シャフト、１７，４７，７７  バネ、１８，４８，７８  ジャッキ、１９，４９，７９，１０５  受け部材、２１，２４  開口部、２２，２５，３２ａ，３２ｂ，６２ａ，６２ｂ，９２ａ，９２ｂ  面、２３ａ，２３ｂ，２３ｃ，２３ｄ，２３ｅ，２３ｆ，２３ｇ，２３ｈ，５３ａ，５３ｂ，５３ｃ，５３ｄ，８３ａ，８３ｂ，８３ｃ，８３ｄ  突起部、２６ａ，５６ａ，８６ａ  第一のパッド部、２６ｂ，５６ｂ，８６ｂ  第二のパッド部、２７  嵌め込み突出部、３１，６１，９１，１１２  ベース部、３３ａ，３３ｂ，３３ｃ，３３ｄ，３３ｅ，３３ｆ，３３ｇ，３３ｈ，３４ａ，３４ｂ，３４ｃ，３４ｄ，６３ａ，６３ｂ，６３ｃ，６３ｄ，６４ａ，６４ｂ，９３ａ，９３ｂ，９３ｃ，９３ｄ，９４ａ，９４ｂ  突出部、３５ａ，３５ｂ，６５ａ，６５ｂ  辺、３６ａ，３６ｂ，３６ｃ，３６ｄ，３６ｅ，３６ｆ，３６ｇ，３６ｈ，６６ａ，６６ｂ，６６ｃ，６６ｄ，９６ａ，９６ｂ，９６ｃ，９６ｄ  受け入れ凹部、３７ａ，３７ｂ，３７ｃ，３７ｄ，６７ａ，６７ｂ，９７ａ，９７ｂ  ねじ留め用凹部、３８ａ，３８ｂ，３８ｃ，３８ｄ，３８ｅ，３８ｆ，３８ｇ，３８ｈ，３９ａ，３９ｂ，３９ｃ，３９ｄ，３９ｅ，３９ｆ，３９ｇ，３９ｈ，６８ａ，６８ｂ，６８ｃ，６８ｄ，６８ｅ，６８ｆ，６８ｇ，６８ｈ，９８ａ，９８ｂ，９８ｃ，９８ｄ，９８ｅ，９８ｆ，９８ｇ，９８ｈ，１１３  薄肉部、１０３  カバー部、１１４ａ，１１４ｂ，１１４ｃ，１１４ｄ，１１４ｅ，１１４ｆ，１１４ｇ  ガイド線、１１５ａ，１１５ｂ，１１５ｃ，１１５ｄ，１１５ｅ，１１５ｆ，１１５ｇ，１１５ｈ  領域。
【図１】
2019047955.tif 000003
【図２】
2019047955.tif 000004
【図３】
2019047955.tif 000005
【図４】
2019047955.tif 000006
【図５】
2019047955.tif 000007
【図６】
2019047955.tif 000008
【図７】
2019047955.tif 000009
【図８】
2019047955.tif 000010
【図９】
2019047955.tif 000011
【図１０】
2019047955.tif 000012
【図１１】
2019047955.tif 000013
【図１２】
2019047955.tif 000014